(57)【要約】【課題】駐車スペースをより適切に活用する。【解決手段】移動体情報管理装置３０は、移動体の移動に関する情報と、移動体の乗員に関する情報を受信する移動体情報データベース更新部３１１と、施設に関する情報を記憶する記憶部３２と、前記移動体の移動に関する情報に基づいて移動体の目的地を推定し、該推定結果に応じて前記施設に関する情報から特定の施設を抽出する目的地推定部３１２と、前記抽出した施設に対応する端末に、前記移動体の乗員に関する情報を送信する訪問情報送信部３１３と、を備える。【選択図】図１
2019101903.tif 000002
【特許請求の範囲】
【請求項１】
移動体の移動に関する情報と、移動体の乗員に関する情報を受信する受信部と、
施設に関する情報を記憶する記憶部と、
前記移動体の移動に関する情報に基づいて移動体の目的地を推定し、該推定結果に応じて前記施設に関する情報から特定の施設を抽出する目的地推定部と、
前記抽出した施設に対応する端末に、前記移動体の乗員に関する情報を送信する乗員情報送信部と、
を備えることを特徴とする移動体情報管理装置。
【請求項２】
前記移動体の移動に関する情報は、移動体に設定されている目的地に関する情報を含み、
前記目的地推定部は、前記目的地に関する情報に基づき、移動体の目的地を推定することを特徴とする請求項１記載の移動体情報管理装置。
【請求項３】
前記移動体の移動に関する情報は、移動体の位置に関する情報を含み、
前記目的地推定部は、前記移動体の位置に関する情報から特定される、過去の移動履歴情報と、現在の移動履歴情報とから、前記移動体の目的地を推定することを特徴とする請求項１に記載の移動体情報管理装置。
【請求項４】
前記乗員情報送信部が送信する前記乗員に関する情報は、前記抽出した施設において所定のサービスを提供する対象であるか否かを判断するための情報であることを特徴とする請求項１乃至３の何れか１項に記載の移動体情報管理装置。
【請求項５】
移動体情報管理装置が行う移動体情報管理方法であって、
移動体の移動に関する情報と、移動体の乗員に関する情報を受信する受信ステップと、
施設に関する情報を記憶する記憶ステップと、
前記移動体の移動に関する情報に基づいて移動体の目的地を推定し、該推定結果に応じて前記施設に関する情報から特定の施設を抽出する目的地推定ステップと、
前記抽出した施設に対応する端末に、前記移動体の乗員に関する情報を送信する乗員情報送信ステップと、
を備えることを特徴とする移動体情報管理方法。
【発明の詳細な説明】
【技術分野】
【０００１】
本発明は、移動体に関する情報を管理するための、移動体情報管理装置及び移動体情報管理方法に関する。
【背景技術】
【０００２】
自動車等の移動体の駐車場において、一般の駐車スペースと区別して、優先駐車スペースを設けることが広く行われている。
優先駐車スペースは、駐車が容易な場所や屋根が有る場所といった利便性の高い場所に設けられ、所定の乗員が乗車する移動体が優先的に利用する。ここで、優先駐車スペースを優先的に利用する所定の乗員とは、例えば、高齢者の乗員や、ベビーカーを利用する子供連れの乗員や、及び歩行が困難なため車椅子を使う乗員である。
【０００３】
このようにして優先駐車スペースを活用することにより、これら所定の乗員の利便性を向上することができると共に、これら所定の乗員の安全を確保することが可能となる。
なお、以下の説明では、優先駐車スペースを利用すべきこれら所定の乗員を、適宜「優先対象乗員」と呼ぶ。
【０００４】
優先駐車スペースの利用に関する技術の一例が、例えば特許文献１に開示されている。特許文献１に開示の技術では、駐車場に設置された管理装置が、乗員の携帯するＩＤカードからＩＤを読み取ることによって、駐車場に訪れた乗員を特定する。次に、管理装置が、乗員に関するデータベースを検索し、特定した乗員が優先対象乗員であると判定できた場合に、この優先対象乗員に対して優先駐車スペースを割り当てる。
【先行技術文献】
【特許文献】
【０００５】
【特許文献１】特許第５１３６１９４号明細書
【発明の概要】
【発明が解決しようとする課題】
【０００６】
特許文献１に開示の技術のような一般的な技術を利用することにより、駐車場に訪れた優先対象乗員は、自身が駐車すべき優先駐車スペースを把握することができる。
【０００７】
しかしながら、この一般的な技術は、駐車場の管理者ではなく、優先対象乗員に対して通知を行うものである。そのため、駐車場の管理者は、優先対象乗員の乗車した移動体がどの移動体であるかを判断することはできない。
従って、管理者が、優先対象乗員の乗車した移動体に先回りしたサービス（例えば、係員による優先駐車スペースへの誘導サービス）を提供するようなことは困難だった。また、管理者は、優先駐車スペースに駐車中の移動体が、優先対象乗員の移動体であるのか否かを判断することも困難であった。
結果として、優先駐車スペース等の駐車スペースを十分に活用することができなかった。
【０００８】
本発明はこのような問題に鑑みてなされたものであり、本発明は、駐車スペースをより適切に活用するための、移動体情報管理装置及び移動体情報管理方法を提供することを目的とする。
【課題を解決するための手段】
【０００９】
（１）本発明の移動体情報管理装置（例えば、後述の移動体情報管理装置３０）は、移動体の移動に関する情報と、移動体の乗員に関する情報を受信する受信部（例えば、後述の移動体情報データベース更新部３１１）と、施設に関する情報を記憶する記憶部（例えば、後述の記憶部３２）と、前記移動体の移動に関する情報に基づいて移動体の目的地を推定し、該推定結果に応じて前記施設に関する情報から特定の施設を抽出する目的地推定部（例えば、後述の目的地推定部３１２）と、前記抽出した施設に対応する端末に、前記移動体の乗員に関する情報を送信する乗員情報送信部（例えば、後述の訪問情報送信部３１３）と、を備える。
【００１０】
上記（１）によれば、目的地となった施設側で乗員に関する情報を取得することができる。そのため、施設側で乗員に関する情報を把握することが可能となり、施設側で、優先駐車スペースを優先対象乗員の移動体に割り当てることができる。また、施設側で、優先駐車スペースに駐車中の移動体が優先対象乗員の移動体であるのか等を判断することができる。
すなわち、上記（１）によれば、各駐車スペースを適切に活用することができる。
【００１１】
（２）上記（１）に記載の移動体情報管理装置を、前記移動体の移動に関する情報は、移動体に設定されている目的地に関する情報を含み、前記目的地推定部は、前記目的地に関する情報に基づき、移動体の目的地を推定するようにしてもよい。
【００１２】
上記（２）によれば、上記（１）により奏する効果に加えて、移動体の設定に応じて目的地を推定することができる。例えば、乗員が、ナビゲーション（経路案内）のために設定した目的地の情報を活用して、目的地を推定することができる。
【００１３】
（３）上記（１）に記載の移動体情報管理装置を、前記移動体の移動に関する情報は、移動体の位置に関する情報を含み、前記目的地推定部は、前記移動体の位置に関する情報から特定される、過去の移動履歴情報と、現在の移動履歴情報とから、前記移動体の目的地を推定するようにしてもよい。
【００１４】
上記（３）によれば、上記（１）により奏する効果に加えて、移動体の位置に応じて目的地を推定することができる。例えば、移動体が、ナビゲーション（経路案内）のために測位した位置情報を活用して、目的地を推定することができる。
【００１５】
（４）上記（１）から（３）までの何れかに記載の移動体情報管理装置を、前記乗員情報送信部が送信する前記乗員に関する情報は、前記抽出した施設において所定のサービスを提供する対象であるか否かを判断するための情報であるようにしてもよい。
【００１６】
上記（４）によれば、上記（１）、（２）及び（３）により奏する効果に加えて、施設側で、優先対象乗員の移動体に先回りしたサービス（例えば、優先駐車スペースへの係員による誘導。）を提供するか否かを判定し、判定結果に基づいて適切にサービスを提供することが可能となる。
【００１７】
（５）本発明の移動体情報管理方法は、移動体情報管理装置（例えば、後述の移動体情報管理装置３０）が行う移動体情報管理方法であって、
移動体の移動に関する情報と、移動体の乗員に関する情報を受信する受信ステップと、
施設に関する情報を記憶する記憶ステップと、
前記移動体の移動に関する情報に基づいて移動体の目的地を推定し、該推定結果に応じて前記施設に関する情報から特定の施設を抽出する目的地推定ステップと、
前記抽出した施設に対応する端末に、前記移動体の乗員に関する情報を送信する乗員情報送信ステップと、を備える。
【００１８】
上記（５）の方法によれば、上記（１）の移動体情報管理装置と同様の効果を奏する。
【発明の効果】
【００１９】
本発明によれば、駐車スペースをより適切に活用することが可能となる。
【図面の簡単な説明】
【００２０】
【図１】本発明の実施形態である移動体情報管理システム全体の基本的構成を示すブロック図である。
【図２】本発明の実施形態における車載ナビゲーション装置の機能構成を示す機能ブロック図である。
【図３】本発明の実施形態における携帯端末の機能構成を示す機能ブロック図である。
【図４】本発明の実施形態における移動体情報管理装置の機能構成を示す機能ブロック図である。
【図５】本発明の実施形態における移動体情報データベースの例を示す図である。
【図６】本発明の実施形態における施設端末の機能構成を示す機能ブロック図である。
【図７】本発明の実施形態におけるサービス提供用情報の表示例を示す図である。
【図８】本発明の実施形態における収集した位置情報や乗員情報等に基づいた移動体情報データベース更新処理時の基本的動作を示すフローチャートである。
【図９】本発明の実施形態におけるサービス提供用処理時の基本的動作を示すフローチャートである。
【発明を実施するための形態】
【００２１】
以下、本発明の移動体情報管理システムの好ましい一実施形態について、図を参照しながら詳細に説明する。
【００２２】
＜移動体情報管理システム１の全体構成＞
本発明の好ましい一実施形態に係る移動体情報管理システム１について説明する。図１に、移動体情報管理システム１の全体構成を示す。
【００２３】
図１に示すように、移動体情報管理システム１は、車載ナビゲーション装置１０と、携帯端末２０と、移動体情報管理装置３０と、施設端末４０と、を含んで構成される。これら各装置及び各端末は、通信網６０を介して相互に通信可能に接続される。なお、図中では、これら各装置及び各端末にて送受信される情報についても図示しているが、これらの情報はあくまで一例である。本実施形態にて、図示をしている以外の情報が送受信されるようにしてもよい。
【００２４】
車載ナビゲーション装置１０は、車両５０ａに乗車した乗員に対して、ナビゲーション（経路案内）を行う装置である。また、車載ナビゲーション装置１０は、車載ナビゲーション装置１０の位置情報（すなわち、車両５０ａの位置情報）を測位する機能も有する。車載ナビゲーション装置１０は、乗員の要求と、測位した位置情報とに基づき、現在位置から目的地までの経路案内を行う。
【００２５】
また、車載ナビゲーション装置１０は、車両５０ａに乗車している乗員に関する情報である乗員情報を取得する機能も有する。
【００２６】
そして、車載ナビゲーション装置１０は、測位した位置情報と取得した乗員情報を、車載ナビゲーション装置１０を識別するための識別情報である移動体ＩＤと共に、移動体情報管理装置３０に対して適宜送信する。ここで、車載ナビゲーション装置１０と車両５０ａは１対１の組として利用されているので、送信される位置情報は、実質的に、車両５０ａの位置情報とみなすことができる。また同様に、送信される乗員情報は、車両５０ａの乗員の乗員情報とみなすことができる。
車載ナビゲーション装置１０は、移動体である車両５０ａに据え付けられ可搬可能なカーナビゲーション装置や、移動体である車両５０ａに簡易的に設置されたＰＮＤ（Portable Navigation Device）によりにより実現することができる。
【００２７】
携帯端末２０は、車両５０ｂに乗車した乗員が利用する携帯端末である。携帯端末２０は、上述した車載ナビゲーション装置１０と同様に、ナビゲーション（経路案内）を行う機能や、携帯端末２０の位置情報（すなわち、車両５０ｂの位置情報）を測位する機能や、車両５０ｂに乗車している乗員に関する情報である乗員情報を取得する機能を有する。
【００２８】
そして、携帯端末２０は、これも上述した車載ナビゲーション装置１０と同様に、測位した位置情報と取得した乗員情報を、携帯端末２０を識別するための識別情報である移動体ＩＤと共に、移動体情報管理装置３０に対して適宜送信する。ここで、携帯端末２０と車両５０ｂは１対１の組として利用されているので、送信される位置情報は、実質的に、車両５０ｂの位置情報とみなすことができる。また同様に、送信される乗員情報は、車両５０ｂの乗員の乗員情報とみなすことができる。
携帯端末２０は、スマートフォン、携帯電話機、タブレット端末、ノートパソコン、その他の携帯可能な電子機器により実現することができる。
【００２９】
なお、図中では、車載ナビゲーション装置１０と車両５０ａの組と、携帯端末２０と車両５０ｂの組をそれぞれ一組ずつ図示しているが、これらの組数に特に制限はなく、本実施形態には任意の数だけこれらの組が含まれていてよい。また、同様に、移動体情報管理装置３０や、施設端末４０の数についても、特に制限はなく、本実施形態には任意の数だけ移動体情報管理装置３０や施設端末４０が含まれていてよい。
【００３０】
また、以下の説明において、車載ナビゲーション装置１０が搭載された車両５０ａや、携帯端末２０を利用する乗員が乗車する車両５０ｂを区別することなく呼ぶ場合には、末尾のアルファベットを省略して、単に「車両５０」と呼ぶ。
更に、車両５０や、車両５０にて利用される車載ナビゲーション装置１０や携帯端末２０は、車両５０の移動に伴い移動する。そのため、以下の説明では、車両５０、車載ナビゲーション装置１０、及び携帯端末２０のことを適宜「移動体」と呼ぶ。
【００３１】
移動体情報管理装置３０は、商業施設等の施設（「ＰＯＩ（Point Of Interest）」と呼ばれることもある。）に対して、その施設に訪問する乗員の情報を通知する装置である。
具体的に、移動体情報管理装置３０は、移動体の移動に関する情報と、移動体の乗員に関する情報を受信する。また、移動体情報管理装置３０は、施設に関する情報を記憶する。更に、移動体情報管理装置３０は、移動体の移動に関する情報に基づいて移動体の目的地を推定し、この推定結果に応じて施設に関する情報から特定の施設を抽出する。
そして、移動体情報管理装置３０は、抽出した施設に対応する施設端末４０に、移動体の乗員に関する情報を送信する。
ここで、移動体の乗員に関する情報には、乗員に優先対象乗員が含まれるか否かを示す情報を含ませることができる。
【００３２】
これにより、目的地となった施設側で乗員に関する情報を取得することができる。そのため、施設側で乗員に関する情報を把握することが可能となり、施設側で、優先駐車スペースを優先対象乗員の移動体に割り当てることができる。また、施設側で、優先駐車スペースに駐車中の移動体が優先対象乗員の移動体であるのか等を判断することができる。
すなわち、移動体情報管理装置３０によれば、各駐車スペースを適切に活用することができる。
移動体情報管理装置３０は、例えばサーバ装置により実現することができる。
【００３３】
施設端末４０は、施設の運営者により利用される端末である。施設端末４０は、移動体情報管理装置３０から受信した、施設に訪問する乗員に関する情報を、施設の運営者に対して出力する。施設の運営者は、この出力を参照することにより、上述したように、乗員に関する情報を把握することが可能となる。また、これに伴い、施設の運営者は、上述したように、優先駐車スペースを優先対象乗員の移動体に割り当てること等が可能となる。
施設端末４０は、例えばパーソナルコンピュータにより実現することができる。
【００３４】
車両５０は、車載ナビゲーション装置１０や携帯端末２０の乗員が乗車する移動体である。車両５０は、例えば、四輪自動車や自動二輪車や自転車等により実現される。
【００３５】
通信網６０は、インターネットや携帯電話網といったネットワークや、これらを組合せたネットワークにより実現される。また、ネットワークの一部（例えば、移動体情報管理装置３０と施設端末４０の間）に、ＬＡＮ（Local Area Network）が含まれていてもよい。
【００３６】
＜車載ナビゲーション装置１０が備える機能ブロック＞
次に、車載ナビゲーション装置１０が備える機能ブロックについて図２のブロック図を参照して説明をする。
ここで、車載ナビゲーション装置１０は、車両５０ａから電源の供給を受けており、車両５０ａに乗車した乗員により車両５０ａのイグニッションスイッチがオン（エンジンを始動）にされることによって自動起動する。そして、車載ナビゲーション装置１０は、車両５０ａに乗車した乗員により車両５０ａのイグニッションスイッチがオフ（エンジンを停止）にされるまで稼働する。
【００３７】
図２に示すように、車載ナビゲーション装置１０は、制御部１１と、記憶部１２と、通信部１３と、センサ部１４と、表示部１５と、入力部１６とを含んで構成される。
【００３８】
制御部１１は、マイクロプロセッサ等の演算処理装置から構成され、車載ナビゲーション装置１０を構成する各部の制御を行う。制御部１１の詳細については、後述する。
【００３９】
記憶部１２は、半導体メモリ等で構成されており、ファームウェアやオペレーティングシステムと呼ばれる制御用のプログラムや、経路案内処理を行うためのプログラムや、移動体情報管理装置３０に対する位置情報の送信処理を行うためのプログラムといった各プログラム、更にその他、経路案内のための施設情報や施設ＩＤを含んだ地図情報等の種々の情報が記憶される。
【００４０】
これらの記憶部１２に格納される各情報については、記憶部１２に予め記憶しておく構成としてもよいし、制御部１１により適宜更新される構成としてもよいし、通信網６０に接続されたサーバ装置（図示を省略する。）等から必要に応じて適宜ダウンロードされる構成としてもよい。更に、乗員の入力等に応じて適宜修正されてもよい。
【００４１】
図中には、記憶部１２が記憶する情報として、位置情報の送信処理に特に関する情報である、位置情報１２１、乗員情報１２２及び移動体ＩＤ１２３を図示する。
位置情報１２１は、後述のセンサ部１４により測位された車載ナビゲーション装置１０の位置情報（すなわち、車両５０ａの位置情報）である。位置情報１２１には、測位された位置を示す情報のみならず、測位を行った時刻も含まれるようにするとよい。
【００４２】
乗員情報１２２は、車両５０ａに乗車している乗員に関する情報である。乗員情報１２２は、例えば、後述の乗員情報取得部１１２により取得される。
乗員情報１２２は、乗員に優先対象乗員が含まれるか否かを示す情報を含む。また、乗員情報には、それ以外にも、例えば、乗員の人数や、乗員の属性（例えば、乗員がご老人である、乗員がベビーカーを利用する、乗員が車椅子を利用する、乗員の性別、乗員の年齢、乗員の趣味趣向等）といった情報を含んでいてもよい。
【００４３】
移動体ＩＤ１２３は、車載ナビゲーション装置１０や、車載ナビゲーション装置１０が設置された車両５０ａを識別するための情報である。
移動体ＩＤ１２３としては、例えば車載ナビゲーション装置１０に一意に割り当てられた製造番号等を利用することができる。また、他にも、通信部１３が携帯電話網等のネットワークである通信網６０に接続するために、通信部１３に挿入されたＳＩＭ（Subscriber Identity Module）に付与された電話番号を移動体ＩＤ１２３として利用することができる。また、他にも、車両５０ａに固有に付与されたＶＩＮ（車両識別番号）やナンバープレートの番号を移動体ＩＤ１２３として利用することができる。
【００４４】
また、移動体ＩＤ１２３には、これらの文字や数値の組み合わせによる識別情報に加えて、車載ナビゲーション装置１０が設置された車両５０ａの特徴を示す情報も含む。例えば、車両５０ａの車両区分、車両５０ａの車種名、車両５０ａの型番、車両５０ａの外観の色等の情報を含む。
【００４５】
通信部１３は、ＤＳＰ（Digital Signal Processor）等を有し、３Ｇ（3rd Generation）ＬＴＥ（Long Term Evolution）やＷｉ−Ｆｉ（登録商標）といった規格に準拠して、通信網６０を介して通信網６０を介した他の装置（例えば、移動体情報管理装置３０）との間の無線通信を実現する。通信部１３は、例えば、後述の移動体情報送信部１１３が、記憶部１２に格納されている位置情報１２１、乗員情報１２２及び移動体ＩＤ１２３を、移動体情報管理装置３０に対して送信するために利用される。ただし、通信部１３と他の装置との間で送受信されるデータに特に制限はなく、位置情報１２１、乗員情報１２２及び移動体ＩＤ１２３以外の情報が送受信されるようにしてもよい。
【００４６】
センサ部１４は、例えばＧＰＳ（Global Positioning System）センサ、ジャイロセンサ、加速度センサ等により構成される。センサ部１４は、位置情報を検出する位置検出手段としての機能を備え、ＧＰＳセンサによりＧＰＳ衛星信号を受信し、車載ナビゲーション装置１０の位置情報（緯度及び経度）を測位する。センサ部１４による測位は、上述したように所定の時間間隔（例えば３秒間隔）で行われる。測位した位置情報は、位置情報１２１として記憶部１２に格納される。
なお、センサ部１４は、ジャイロセンサ、加速度センサにより測定される角速度や、加速度に基づいて車載ナビゲーション装置１０の位置情報の測位精度を更に高めることも可能である。
また、センサ部１４は、ＧＰＳ通信が困難又は不可能となった場合に、ＡＧＰＳ（Assisted Global Positioning System）通信を利用し、通信部１３から取得される基地局情報によって車載ナビゲーション装置１０の位置情報を算出することも可能である。
【００４７】
表示部１５は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、車載ナビゲーション装置１０の現在位置、地図情報から読み出された車載ナビゲーション装置１０の現在位置周辺の地図情報、乗員に設定された目的地、他の車載ナビゲーション装置１０から通知された待ち合わせ情報、ルート情報、各種の乗員インタフェース等が挙げられる。
【００４８】
入力部１６は、テンキーと呼ばれる物理スイッチや表示部１５の表示面に重ねて設けられたタッチパネル等の入力装置（図示を省略する。）等で構成される。入力部１６からの操作入力、例えば乗員によるテンキーの押下、タッチパネルのタッチに基づいた信号を制御部１１に出力することで、乗員による選択操作や、地図の拡大縮小等の操作を実現することができる。
【００４９】
なお、この他、図示しないが、スピーカやマイク等を備えることもできる。スピーカは、運転者に対して音声出力を行い、マイクは、運転者によって発せられた音声等を集音する。
そうすることで、情報をスピーカから音声で出力したり、マイクを介して音声入力された運転者による各種の選択、指示を音声認識技術により、制御部１１に入力したりすることもできる。
【００５０】
次に、制御部１１の詳細について説明をする。制御部１１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部１２から読み出した各プログラムを実行し、その実行の際にはＲＡＭ、ＲＯＭ、及び記憶部１２から情報を読み出し、ＲＡＭ及び記憶部１２に対して情報の書き込みを行い、通信部１３、センサ部１４、表示部１５、及び入力部１６と信号の授受を行う。そして、このようにして、ハードウェアとソフトウェア（プログラム）が協働することにより本実施形態における処理は実現される。
【００５１】
制御部１１は、機能ブロックとして、経路案内部１１１、乗員情報取得部１１２及び移動体情報送信部１１３を備える。
【００５２】
経路案内部１１１は、乗員によって入力又は選択された施設等の目的地までの経路案内処理を行う部分である。
目的地までの経路案内処理は、一般的なカーナビゲーションシステムにおける経路案内処理と同等である。すなわち、経路案内部１１１は、記憶部１２に記憶されている地図情報（図示を省略する。）に基づいて目的地までの地図を生成し、この生成した地図上にセンサ部１４により測位された車載ナビゲーション装置１０の現在位置と目的地の位置と目的地までのルート情報とを重ね、これを表示部１５に表示することにより経路案内を行う。この場合に、更に、図示を省略したスピーカから経路案内用の音声を出力するようにしてもよい。また、道路の混雑状況の情報や天気の情報等を通信部１３による通信により取得して、この取得した情報を経路案内処理に利用するようにしてもよい。
なお、目的地までの経路案内処理については、当業者によく知られているので、これ以上の詳細な説明は省略する。
【００５３】
乗員情報取得部１１２は、車両５０ａに乗車している乗員の乗員情報を取得する。ここで、上述したように乗員情報取得部１１２が取得する乗員情報には、乗員に優先対象乗員が含まれるか否かを示す情報を含む。
乗員情報取得部１１２は、例えば乗員から入力部１６を介して、乗員が優先対象乗員であるか否かの入力を受け付ける。そして、乗員情報取得部１１２は、この入力を乗員情報として取得する。
【００５４】
他にも、乗員情報取得部１１２は、例えば車載ナビゲーション装置１０において動作するアプリケーションソフトウェアにて用いている情報から、乗員情報を取得するようにしてもよい。例えば、乗員情報取得部１１２は、乗員の情報の登録を要するアプリケーションソフトウェアから、優先対象乗員であるか否かを示す登録情報を取得する。そして、乗員情報取得部１１２は、この登録情報を乗員情報として取得する。
【００５５】
また、他にも、車内カメラ（図示を省略する。）を、車両５０ａのサンバイザーの上方等に設置しておき、乗員情報取得部１１２が、この車内カメラの検知結果に基づいて、乗員情報を取得するようにしてもよい。この場合、車内カメラは、車両５０ａの各座席における着座状態を撮影し、画像認識を行うことで、各座席における乗員が優先対象乗員であるか否かを検知する。そして、乗員情報取得部１１２は、この検知結果を乗員情報として取得する。
この場合に、車内カメラが、画像認識を行うことで、車内に車椅子やベビーカーが持ち込まれているか否かを検知してもよい。そして、乗員情報取得部１１２は、車内に車椅子やベビーカーが持ち込まれていると検知された場合に、優先対象乗員が存在すると判定し、この判定結果を乗員情報として取得する。
【００５６】
更に、他にも、車椅子を乗降させるためのスロープの昇降を検知するセンサ又はスイッチや、車椅子を乗降させるためのバックドアの開閉を検知するセンサ又はスイッチを車両５０ａに設置しておくようにしてもよい。この場合、乗員情報取得部１１２が、これらのセンサ等の検知結果に基づいて車椅子が乗降したことが判明した場合に、優先対象乗員が存在すると判定し、この判定結果を乗員情報として取得する。
【００５７】
また、乗員情報には、乗員に優先対象乗員が含まれるか否かを示す情報以外にも、例えば、乗員の人数や、乗員の属性（例えば、乗員がご老人である、乗員がベビーカーを利用する、乗員が車椅子を利用する、乗員の性別、乗員の年齢、乗員の趣味趣向等）といった情報を含んでいてもよい。
この場合、例えば、乗員情報取得部１１２は、車両５０ａに設置された、公知の重量センサ（圧力センサ）や、ドア開閉スイッチ又はセンサ等の検知結果に基づいて乗車人数を測定し、測定した乗車人数を乗員情報として取得する。
【００５８】
また、乗員情報取得部１１２は、例えば、上述した車両５０に設置された車内カメラが撮像した画像に基づいて、これらの乗員の属性情報を取得するようにしてもよい。例えば、車内カメラが、車両５０の各座席における着座状態を撮影し、画像認識を行うことで、各座席における乗員の着座状態や、乗員の属性を検知することができる。
【００５９】
更に、他にも、乗員情報取得部１１２は、上述した車椅子を乗降させるためのスロープの昇降を検知するセンサ又はスイッチや、車椅子を乗降させるためのバックドアの開閉を検知するセンサ又はスイッチの検知結果に基づいて、乗員の属性を検知することができる。
【００６０】
更に、他にも、例えば、乗員情報取得部１１２は、経路案内部１１１による経路案内の履歴を分析することにより、乗員の趣味趣向等の情報を、乗員情報として取得するようにしてもよい。
【００６１】
なお、乗員情報取得部１１２による乗員情報の取得は、例えば、車両５０ａの出発時や、車両５０ａの運転中の経路において停車して新たに誰かを同乗させた場合に取得するようにするとよい。一方で、車両５０ａの走行中に車内の状態に変更はないと推定されることから、一度乗員情報を取得した後、車両５０ａの走行中には、乗員情報の取得を行わないようにしてもよい。
【００６２】
乗員情報取得部１１２は、取得した乗員情報を、乗員情報１２２として、記憶部１２に格納する。
【００６３】
移動体情報送信部１１３は、通信部１３を利用した無線通信により、記憶部１２に格納されている位置情報１２１、乗員情報１２２及び移動体ＩＤ１２３を、移動体情報管理装置３０に対して送信する部分である。
【００６４】
移動体情報送信部１１３による、移動体情報管理装置３０に対する位置情報１２１、乗員情報１２２及び移動体ＩＤ１２３の送信は、ドライブ開始時に車両５０ａに乗車した乗員により車両５０ａのイグニッションスイッチがオン（エンジンを始動）にされ、車載ナビゲーション装置１０が自動起動してから、ドライブ終了時に車両５０ａのイグニッションスイッチがオフ（エンジンを停止）にされるまでの間、周期的に行われる。例えば、所定の時間間隔（例えば３秒間隔）でセンサ部１４が測位を行う都度、リアルタイムに送信が行われる。すなわち、一度ドライブが開始されて、このドライブが終了するまでの間、リアルタイムに送信が行われる。
また、リアルタイムに移動体情報管理装置３０に送信する替わりに、複数個まとめて（例えば３分間分の間に３秒間隔で更新された位置情報１２１と、移動体ＩＤ１２３とをまとめて）、一度に送信するようにしてもよい。すなわち、いわゆるバースト送信をするようにしてもよい。かかる、所定の時間間隔の長さや、リアルタイムに送信するか、それともバースト送信するかは、本実施形態を適用する環境等に応じて、任意に設定することができる。
このようにして、リアルタイム送信やバースト送信を行うことにより、移動体情報送信部１１３は、センサ部１４が測位した車両５０ａの移動経路を特定するための位置情報１２１と、乗員情報取得部１１２が取得した乗員情報１２２と、移動体ＩＤ１２３とを、移動体情報管理装置３０に対して送信する。
【００６５】
この場合に、イグニッションスイッチがオン（エンジンを始動）にされ、車載ナビゲーション装置１０が自動起動した直後に測位された位置情報１２１により特定される位置をドライブにおける最初の車両位置、すなわち出発位置として移動体情報管理装置３０に送信することができる。更に、イグニッションスイッチがオフ（エンジン停止）される直前に測位された位置情報１２１により特定される位置をドライブにおける最終の車両位置、すなわち到着位置として移動体情報管理装置３０に送信することができる。例えば、出発位置を表す位置情報１２１であることや到着位置を表す位置情報１２１であることを示す情報（例えば、これらを示すフラグを１にする。）を、位置情報１２１に追加してから、移動体情報管理装置３０に送信するようにする。
なお、イグニッションスイッチがオフ（エンジン停止）される直前に測位された位置情報１２１（すなわち、到着位置）については、イグニッションスイッチがオン（エンジンを始動）にされ、車載ナビゲーション装置１０が再度起動した際に送信されてもよい。
【００６６】
また、バースト送信を行う場合であっても、経路案内部１１１により車両５０ａが施設等の目的地に到着したと判断された場合には、移動体情報送信部１１３は、リアルタイムに送信を行うように切り替えるとよい。このようにすれば、施設等の目的地に到着後、施設等の目的地の位置情報１２１が送信される前に、イグニッションスイッチがオフ（エンジン停止）されてしまい、施設等の目的地の位置情報１２１が移動体情報管理装置３０に対して送信されない、という事態を防止することができる。
なお、乗員情報１２２については、位置情報１２１のように周期的に送信するのではなく、乗員情報１２２の内容に変更が生じた場合にのみ送信するようにしてもよい。
【００６７】
また、移動体情報送信部１１３は、上述した位置情報１２１、乗員情報１２２及び移動体ＩＤ１２３と共に、経路案内部１１１に設定された目的地の情報も移動体情報管理装置３０に対して送信するようにしてもよい。
例えば、移動体情報送信部１１３は、乗員が経路案内部１１１に目的地を設定した場合に、記憶部１２が記憶する経路案内用の地図情報（図示を省略する。）に基づいて、この目的地の位置情報（緯度及び経度）や、この目的地に対応する施設の施設ＩＤを取得する。そして、移動体情報送信部１１３は、取得したこれらの情報を、目的地の情報として移動体情報管理装置３０に対して送信する。
これにより、後述の移動体情報管理装置３０における目的地推定部３１２は、車両５０が訪問しようとしている施設を特定することができる。
なお、この目的地の情報には、更に、経路案内部１１１が算出した、目的地までの到着予定時刻も含ませるようにしてもよい。これにより、後述の移動体情報管理装置３０における目的地推定部３１２は、車両５０が訪問しようとしている施設への到着予定時刻も特定することができる。
【００６８】
＜携帯端末２０が備える機能ブロック＞
次に、携帯端末２０が備える機能ブロックについて図３のブロック図を参照して説明をする。
ここで、上述した車載ナビゲーション装置１０は、車両５０ａから電源の供給を受けていたが、携帯端末２０は自身が備えるバッテリ（図示を省略する。）から電源の供給を受ける。ただし、バッテリを充電するために携帯端末２０が車両５０ｂのシガーソケット等から電源の供給を受けるようにしてもよい。
【００６９】
図３に示すように、携帯端末２０は、制御部２１と、記憶部２２と、通信部２３と、センサ部２４と、表示部２５と、入力部２６と、近距離通信部２７とを含んで構成される。
ここで、制御部２１と、記憶部２２と、通信部２３と、センサ部２４と、表示部２５と、入力部２６は、上述した車載ナビゲーション装置１０が含む同名の機能ブロックと同等の機能を有している。つまり、上述した車載ナビゲーション装置１０の説明における、「車載ナビゲーション装置１０」の文言を「携帯端末２０」に置き換え、「車両５０ａ」の文言を「車両５０ｂ」に置き換えることにより、携帯端末２０の各機能ブロックの説明となるので、重複する再度の説明は省略する。
【００７０】
一方で、携帯端末２０は、近距離通信部２７を含んでいる点等で、車載ナビゲーション装置１０と相違するので、この相違点について、以下説明をする。
近距離通信部２７は、ＮＦＣ（Near Field Communication）やＢｌｕｅｔｏｏｔｈ（登録商標）といった規格に準拠した非接触の近距離通信、又はＵＳＢ（Universal Serial Bus）ケーブル等を介した有線による近距離通信を行うための部分である。
【００７１】
一方で、車両５０ｂは、近距離通信部２７と通信を行うための近距離通信部を備える。例えば車両５０ｂのＥＣＵ（Electronic Control Unit）が近距離通信部を備える。
そして、携帯端末２０がＥＣＵと近距離通信により通信することができる場合とは、すなわち、携帯端末２０が車両５０ｂの車内に存在する場合である。この場合、携帯端末２０のセンサ部２４が測位する位置情報は、車両５０ｂの位置情報に相当することになる。
【００７２】
そこで、携帯端末２０は、近距離通信部２７を介してＥＣＵと近距離通信できる間は、移動体情報送信部２１３を起動させる。そして、起動した移動体情報送信部２１３が、車載ナビゲーション装置１０の移動体情報送信部１１３と同様にして、センサ部２４が測位した車両５０ｂの移動経路を特定するための位置情報２２１と、乗員情報取得部２１２が取得した乗員情報２２２と、移動体ＩＤ２２３とを、移動体情報管理装置３０に対して送信する。
【００７３】
例えば、乗員が携帯端末２０を所持して車両５０ｂに乗車し、イグニッションスイッチ等の車両５０ｂの起動スイッチをオンにすると、車両５０ｂと携帯端末２０とが接続（ペアリング）され、携帯端末２０で測位した位置情報２２１、乗員情報２２２及び移動体ＩＤ２２３が携帯端末２０から移動体情報管理装置３０に送信される。この場合、車両５０ｂと携帯端末２０とのペアリング直後に測位された位置情報１２１により特定される位置をドライブにおける最初の車両位置、すなわち出発位置として移動体情報管理装置３０に送信することができる。
【００７４】
更に、イグニッションスイッチ等の車両５０ｂの起動スイッチがオフにされると、車両５０ｂと携帯端末２０とのペアリングが解除される。この場合、解除された直前に測位された位置情報１２１により特定される位置をドライブにおける最終の車両位置、すなわち到着位置として移動体情報管理装置３０に送信することができる。
【００７５】
この場合に、リアルタイムで送信してもよく、バースト送信してもよい点や、目的地に到着したと判断された場合には、バースト送信をリアルタイムの送信に切り替えても良い点や、出発位置又は到着位置であることを示す情報を追加しても良い点や、再起動時に到着位置を送信しても良い点や、経路案内部１１１に設定された目的地の情報を送信しても良い点や、乗員情報２２２については、周期的に送信するのではなく、乗員情報２２２の内容に変更が生じた場合にのみ送信するようにしてもよい点も移動体情報送信部１１３と同様である。
【００７６】
なお、車両５０ｂが位置情報を測位する機能を有している場合には、センサ部２４が測位する位置情報ではなく、車両５０ｂが測位する位置情報を位置情報１２１として移動体情報管理装置３０に送信するようにしてもよい。この場合、携帯端末２０から、センサ部２４を省略するようにしてもよい。
【００７７】
＜移動体情報管理装置３０が備える機能ブロック＞
次に、移動体情報管理装置３０が備える機能ブロックについて図４のブロック図を参照して説明をする。
【００７８】
図４に示すように、移動体情報管理装置３０は、制御部３１と、記憶部３２と、通信部３３とを含んで構成される。
【００７９】
制御部３１は、マイクロプロセッサ等の演算処理装置から構成され、移動体情報管理装置３０を構成する各部の制御を行う。制御部３１の詳細については、後述する。
【００８０】
記憶部３２は、半導体メモリ等で構成されており、ファームウェアやオペレーティングシステムと呼ばれる制御用のプログラムや、サービス提供用処理を行うためのプログラムといった各プログラム、更にその他、地図情報等の種々の情報が記憶される。図中には、記憶部３２が記憶する情報として、サービス提供用処理に特に関する情報である、地図情報３２１及び移動体情報データベース３２２を図示する。
【００８１】
地図情報３２１には、道路や施設等の地物に関する情報、道路情報、施設情報、駐車場情報等の情報が含まれる。また、地図情報３２１には他にも、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
【００８２】
道路情報としては道路の種別や信号機等のいわゆる道路地図の情報が保存されている。
施設情報としては、各施設の位置情報が緯度経度の情報として保存されている。また、施設位置情報として、施設の識別情報（施設ＩＤ）、名称、施設種別（及び／又はジャンル）、電話番号、住所、営業時間、施設が飲食店であれば提供するメニュー、商品役務等に関する施設情報、等の付帯的な情報が含まれていてもよい。
駐車場情報としては、駐車場の位置情報が緯度経度の情報として保存されている。駐車場が各施設に併設された駐車場である場合には、施設と駐車場を紐付けて保存される。
【００８３】
地図情報３２１は、記憶部３２に予め記憶しておく構成としてもよいし、通信網６０に接続されたサーバ装置（図示を省略する。）等から必要に応じて適宜ダウンロードされる構成としてもよい。更に、地図情報３２１は、乗員の入力等に応じて適宜修正されてもよい。
【００８４】
移動体情報データベース３２２は、車載ナビゲーション装置１０から受信した位置情報１２１、乗員情報１２２及び移動体ＩＤ１２３や、携帯端末２０から受信した位置情報２２１、乗員情報２２２及び移動体ＩＤ２２３に基づいて構築されたデータベースである。
移動体情報データベース３２２は、後述の移動体情報データベース更新部３１１により構築及び更新される。移動体情報データベース３２２の詳細については、移動体情報データベース更新部３１１の説明の際に後述する。
【００８５】
なお、以下の説明では、位置情報１２１及び位置情報２２１を区別することなく説明する際は、符号を省略して「位置情報」と呼ぶ。また、同様に乗員情報１２２及び乗員情報２２２を区別することなく説明する際は、符号を省略して「乗員情報」と呼ぶ。また、同様に移動体ＩＤ１２３及び移動体ＩＤ２２３を区別することなく説明する際は、符号を省略して「移動体ＩＤ」と呼ぶ。
【００８６】
通信部３３は、ＤＳＰ（Digital Signal Processor）等を有し、３Ｇ（3rd Generation）ＬＴＥ（Long Term Evolution）やＷｉ−Ｆｉ（登録商標）といった規格に準拠した無線接続や有線ＬＡＮ等の有線接続にて、通信網６０を介して通信網６０を介した他の装置との間の通信を実現する。通信部３３は、例えば、車載ナビゲーション装置１０及び携帯端末２０のそれぞれから送信される位置情報、乗員情報及び移動体ＩＤを受信するために利用される。また、他にも通信部３３は、例えば、施設端末４０に対して訪問情報を送信するために利用される。
ただし、通信部３３と他の装置との間で送受信されるデータに特に制限はなく、これらの情報以外の情報が送受信されるようにしてもよい。
【００８７】
次に、制御部３１の詳細について説明をする。制御部３１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部３２から読み出した各プログラムを実行し、その実行の際にはＲＡＭ、ＲＯＭ、及び記憶部３２から情報を読み出し、ＲＡＭ及び記憶部３２に対して情報の書き込みを行い、通信部３３と信号の授受を行う。そして、このようにして、ハードウェアとソフトウェア（プログラム）が協働することにより本実施形態における処理は実現される。
【００８８】
制御部３１は、機能ブロックとして、移動体情報データベース更新部３１１、目的地推定部３１２及び訪問情報送信部３１３を含む。
移動体情報データベース更新部３１１は、通信部３３が移動体から受信した、位置情報、乗員情報及び移動体ＩＤに基づいて、移動体情報データベース３２２を更新する部分である。
【００８９】
移動体情報データベース３２２のデータ構造の一例について、図５を参照して説明する。図５に示すように、移動体情報データベース３２２は、「移動体ＩＤ」、「出発位置」、「到着位置」、「経路情報」及び「乗員情報」を属性として含む。
なお、図５に示すように「出発位置」、「到着位置」、「経路情報」及び「乗員情報」については、１回のドライブ単位で紐付けて格納される。
【００９０】
移動体情報データベース３２２内の「移動体ＩＤ」は、上述したように、位置情報等の送信元である車載ナビゲーション装置１０や携帯端末２０や、これらを搭載した車両５０を識別するための情報である。
【００９１】
移動体情報データベース３２２内の「出発位置」は、ドライブにおいて、乗員が車両５０により出発した位置を特定するための情報である。移動体情報データベース更新部３１１は、移動体ＩＤと共に受信した位置情報から、出発位置を特定する。例えば、上述したように、位置情報に出発位置を示す情報が含まれている場合は、この出発位置を示す情報が移動体情報データベース３２２内の、出発位置のフィールドに格納される。
なお、仮に位置情報に出発位置を示す情報が含まれていない場合には、例えば、位置情報等の送信が開始されてから最初に受信した位置情報に対応する位置が出発位置であるとみなすこともできる。
【００９２】
また、移動体情報データベース３２２内の「到着位置」は、ドライブにおいて、乗員が車両５０により到着した位置を特定するための情報である。移動体情報データベース更新部３１１は、移動体ＩＤと共に受信した位置情報から、到着位置施設を特定する。例えば、上述したように、位置情報に到着位置を示す情報が含まれている場合は、この到着位置を示す情報が移動体情報データベース３２２内の、到着位置のフィールドに格納される。なお、仮に位置情報に到着位置を示す情報が含まれていない場合には、例えば、位置情報等の送信が一度開始されてから最後に位置情報を受信して、所定時間位置情報の送信がなかった場合に、この最後に受信した位置情報に対応する位置が到着位置であるとみなすこともできる。また、他にも送信される位置情報に対応する位置が一定時間以上変化しないような場合に、この位置を到着位置とみなすこともできる。
【００９３】
また、移動体情報データベース更新部３１１は、位置情報等の送信が一度開始されてから、到着位置を示す情報を未だ受信していない場合や、何れかの位置を到着位置とみなすこともできない場合には、移動体のドライブは継続しており、未だ移動中であるので、到着位置のフィールドには「移動中」という情報を格納する。
【００９４】
更に、移動体情報データベース３２２内の「経路情報」は、位置情報等の送信が一度開始されてから終了するまでに受信した全ての位置情報である。この全ての位置情報により、１回のドライブにおける出発位置から到着位置までの移動経路を特定することが可能となる。
【００９５】
更に、移動体情報データベース３２２内の「乗員情報」は、上述したように、位置情報等の送信元である車載ナビゲーション装置１０や携帯端末２０に対応する車両５０の乗員に関する情報である。乗員情報には、上述したように、乗員に優先対象乗員が含まれるか否かを示す情報を含む。
【００９６】
移動体情報データベース更新部３１１は、車載ナビゲーション装置１０及び携帯端末２０から、位置情報等を受信する都度、受信した各情報に基づいて、移動体情報データベース３２２を更新する。
【００９７】
目的地推定部３１２は、各車両５０のドライブそれぞれについて、目的地とされた施設を推定する部分である。ここで、目的地推定部３１２が推定する目的地とされた施設とは、未来の目的地に対応する施設（すなわち、これから訪問する施設）と、現在の目的地に対応する施設（すなわち、現在訪問中の施設）の何れかであってもよく、双方であってもよい。
【００９８】
目的地推定部３１２が、目的地とされた施設を推定する方法としては、様々な方法が考えられる。
例えば、目的地推定部３１２は、移動体から、経路案内における目的地の情報を受信している場合には、この目的地の情報に基づいて、目的地とされた施設を推定することができる。例えば、移動体から経路案内における目的地の情報として、目的地とされた施設の位置情報や、目的地とされた施設の施設ＩＤを受信している場合には、これらの情報と地図情報３２１を照らし合わせることにより、目的地とされた施設を推定することができる。
【００９９】
また、目的地推定部３１２は、移動体情報データベース３２２を参照することによっても目的地とされた施設を推定することができる。例えば、移動体情報データベース３２２において到着位置を示す情報が格納されている場合には、この到着位置と、地図情報３２１に含まれている施設の位置（及び施設に紐付けられている駐車場の位置）を照らし合わせることにより、目的地とされた施設を推定することができる。
【０１００】
他にも、例えば、移動体情報データベース３２２において到着位置を示す情報が格納されていない場合には（すなわち、ドライブが継続しており「移動中」の情報が格納されている場合には）、目的地推定部３１２は、現在のドライブにおける移動経路と、過去のドライブにおける移動経路とから、現在のドライブにおける目的地とされた施設を推定することもできる。例えば、現在のドライブにおける移動経路と、過去のドライブにおける移動経路のそれぞれを比較することにより、現在のドライブにおける移動経路ともっとも近似する過去のドライブにおける移動経路を特定する。そして、この過去のドライブにおける移動経路の到着位置を、現在のドライブにおける移動経路の到着位置とみなす。そして、上述したようにして、現在のドライブにおける移動経路の到着位置とみなした到着位置から、現在のドライブにおける目的地とされた施設を推定することができる。
【０１０１】
なお、目的地推定部３１２は、各移動体の各ドライブについて目的地とされた施設を推定してもよいが、乗員情報に基づいて優先対象乗員が乗車していると判定できる移動体の各ドライブについてのみ目的地とされた施設を推定してもよい。
目的地推定部３１２は、推定の対象とした移動体の移動体ＩＤと、推定した目的地とされた施設の施設ＩＤを紐付けて訪問情報送信部３１３に対して出力する。
【０１０２】
訪問情報送信部３１３は、訪問情報を施設端末４０に対して送信する部分である。ここで、訪問情報には、目的地とされた施設にこれから施設に訪問する（又は、目的地とされた施設に現在訪問している）移動体の乗員等に関する情報が含まれる。
具体的に、訪問情報送信部３１３は、目的地推定部３１２が推定の対象とした移動体の移動体ＩＤと、この移動体ＩＤに対応する乗員情報とを紐付けることにより訪問情報を生成する。そして、生成した訪問情報を、目的地推定部３１２が推定した目的地とされた施設に対応する施設端末４０に対して送信する。
なお、目的地推定部３１２は、各移動体の各ドライブについて、訪問情報の生成及び送信を行うようにしてもよいが、乗員情報に基づいて優先対象乗員が乗車していると判定できる移動体の各ドライブについてのみ訪問情報の生成及び送信を行うようにしてもよい。
【０１０３】
＜施設端末４０が備える機能ブロック＞
施設端末４０については、一般的なパーソナルコンピュータにより実現できるので、詳細な説明を省略する。図６に示すように、顧客端末４は、少なくとも、制御部４１と、記憶部４２と、通信部４３と、表示部４４と、入力部４５とを含んで構成される。各部の構成は、例えば、車載ナビゲーション装置１０や、携帯端末２０の名称が同一の各部の構成とそれぞれ同様である。
【０１０４】
記憶部４２は、半導体メモリ等で構成されており、ファームウェアやオペレーティングシステムと呼ばれる制御用のプログラムや、サービス提供用処理を行うためのプログラムといった各プログラム、更にその他の種々の情報が記憶される。図中には、記憶部４２が記憶する情報として、提供可能サービス情報４２１を図示する。
【０１０５】
提供可能サービス情報４２１は、施設端末４０に対応する施設において、優先対象乗員が乗車している移動体に提供するサービスを特定するための情報である。
ここで、提供するサービスとは、例えば、優先対象乗員が乗車している移動体に先回りしたサービスである。より具体的には、例えば、普段は閉鎖している優先駐車スペースを、事前に開放したり、子供やお年寄りが乗車している移動体を、ショッピングセンターの入口付近のスペースに誘導したり、駐車場所を指定したりするサービスである。
【０１０６】
他にも、提供するサービスとは、例えば、現在優先駐車スペースに駐車中の移動体が、優先対象乗員が乗車している移動体であるかを確認するサービスである。このサービスにより、例えば、優先対象乗員が乗車していない移動体が誤って優先駐車スペースに駐車していることを発見でき、この移動体に一般の駐車スペースへの移動を促すことにより、優先駐車スペースを開放することができる。また、優先対象乗員が乗車している移動体が一般の駐車スペースに駐車していることを発見でき、この移動体に優先駐車スペースへの移動を促すようなこともできる。
【０１０７】
提供可能サービス情報４２１は、このようなサービスを提供するための情報として、例えば、優先駐車スペース及び一般の駐車スペースの数や位置や、各駐車スペースの駐車状況を含んだ駐車場情報や、サービスを提供するために配置されている業務員の人数等の情報が含まれる。
なお、提供可能サービス情報４２１は、例えば、施設の運営者による入力部４５を介した操作により適宜更新することができる。また、提供可能サービス情報４２１は、例えば、駐車場の駐車状況を管理する装置等との通信部４３を介した通信によっても適宜更新することができる。
【０１０８】
制御部４１は、サービス提供用情報生成部４１１を含む。
サービス提供用情報生成部４１１は、施設端末４０に対応する施設の運営者が、施設において優先対象乗員が乗車している移動体にサービスを提供するための情報である、サービス提供用情報を生成する部分である。
サービス提供用情報生成部４１１は、移動体情報管理装置３０の目的地推定部３１２から受信した、優先対象乗員が乗車していると判定された移動体についての訪問情報と、提供可能サービス情報４２１とに基づいて、サービス提供用情報を生成する。
【０１０９】
また、サービス提供用情報生成部４１１は、生成したサービス提供用情報を、表示部４４に対して表示させる。あるいは、サービス提供用情報生成部４１１は、生成したサービス提供用情報を、図示を省略したスピーカから音声出力させる。
これにより、施設端末４０の運営者は、サービス提供用情報に基づいて、優先対象乗員が乗車している移動体にサービスを提供することができる。
【０１１０】
＜サービス提供用情報の具体例＞
次に、図７を参照して、サービス提供用情報生成部４１１により生成されるサービス提供用情報の具体例について説明をする。
図７には、サービス提供用情報を、表示部４４に対して表示した場合の表示例を示す。ここでサービス提供用情報は、上述したように、優先対象乗員が乗車していると判定された移動体についての訪問情報と、提供可能サービス情報４２１とに基づいて、生成される。図７の表示例には、これらの情報に対応する情報として、移動体画像７１、移動体詳細７２、対象乗員詳細７３及び対象乗員詳細７３が表示されている。
【０１１１】
移動体画像７１は、優先対象乗員が乗車している移動体である車両５０の外観を示す画像である。サービス提供用情報生成部４１１は、訪問情報の生成に用いられた移動体ＩＤに含まれる、車両５０の車種名や車両５０の型番や車両５０の外観の色といった情報に基づいて移動体画像７１を取得する。例えば、サービス提供用情報生成部４１１は、これらの車両５０の情報に基づいて、自動車メーカ等が提供するデータベースを検索することにより移動体画像７１を取得する。
【０１１２】
移動体詳細７２は、優先対象乗員が乗車している移動体である車両５０の詳細を示す情報である。移動体詳細７２には、例えば、移動体の種類、車両区分、車種、色等の情報が含まれる。サービス提供用情報生成部４１１は、訪問情報の生成に用いられた移動体ＩＤからこれらの情報を取得する。また、サービス提供用情報生成部４１１は、移動体ＩＤと共に、経路案内部１１１や経路案内部２１１が算出した目的地までの到着予定時刻を受信している場合には、図７に示すようにこの到着予定時刻を表示するようにしてもよい。
【０１１３】
対象乗員詳細７３は、移動体に乗車している優先対象乗員についての情報である。サービス提供用情報生成部４１１は、訪問情報の生成に用いられた乗員情報に基づいて対象乗員詳細７３を取得する。対象乗員詳細７３には、優先対象乗員の有無のみならず、優先対象乗員の人数や、優先対象乗員の属性（例えば、優先対象乗員はご老人である。）等の情報が含まれていてもよい。
【０１１４】
サービス詳細７４は、施設の運営者が提供するサービスの具体的な内容である。サービス提供用情報生成部４１１は、優先対象乗員の有無や優先対象乗員の属性と、提供可能サービス情報４２１とに基づいて、施設の運営者が提供するサービスの具体的な内容を決定し、サービス詳細７４として表示する。例えば、サービス提供用情報生成部４１１は、優先対象乗員が車椅子を利用されている優先対象乗員である場合に、提供可能サービス情報４２１に基づいて、現在利用されておらず車椅子にて乗降可能な優先駐車スペースを特定する。そして、サービス提供用情報生成部４１１は、特定した優先駐車スペースへご案内する旨をサービス詳細７４として表示する。サービス詳細７４の内容は、例えば図示している「駐車スペースＡ１２にご案内」のように、具体的な内容とするとよい。
【０１１５】
施設端末４０の運営者は、サービス提供用情報に含まれる移動体画像７１、移動体詳細７２及び対象乗員詳細７３等の情報を参照することにより、優先対象乗員が乗車している移動体を容易に特定することができる。また、施設端末４０の運営者は、サービス詳細７４を参照することにより、この特定した移動体に乗車している優先対象乗員に対して現在提供可能な、適切なサービスを提供することができる。
【０１１６】
＜本実施形態の動作＞
次に、図８及び図９のフローチャートを参照して、本実施形態の動作について説明する。ここで、図８は、収集した位置情報や乗員情報等に基づいた移動体情報データベース更新処理時の基本的動作を示すフローチャートである。また、図９は、サービス提供用処理時の動作を示すフローチャートである。
【０１１７】
まず、車載ナビゲーション装置１０についての位置情報の収集及び移動体情報データベースの更新時の動作について図８を参照して説明する。
ステップＳ１１において、移動体情報送信部１１３が位置情報の送信を開始するか否かを判定する。ここで、上述したように、車両５０ａのイグニッションスイッチがオンとなった場合に送信が開始される。
イグニッションスイッチがオフのままの場合には、ステップＳ１１にてＮｏと判定され、ステップＳ１１の判定が繰り返される。この場合、移動体情報送信部１１３による送信は開始されない。
一方で、イグニッションスイッチがオンとなった場合には、ステップＳ１１にてＹｅｓと判定され、処理はステップＳ１２に進む。
【０１１８】
ステップＳ１２において、センサ部１４が、車載ナビゲーション装置１０の位置を測位することにより位置情報を取得する。
ステップＳ１３において、乗員情報取得部１１２は、乗員情報を取得する。
【０１１９】
ステップＳ１４において、移動体情報送信部１１３は、ステップＳ１２で取得された位置情報と、ステップＳ１３で取得された乗員情報と、移動体ＩＤとを、移動体情報管理装置３０に対して、所定の周期で、リアルタイム送信又はバースト送信をする（ステップＳ１３）。
【０１２０】
ステップＳ１５において、移動体情報送信部１１３は、位置情報の送信を終了するか否かを判定する。上述したように、車両５０ａのイグニッションスイッチがオフとなった場合に送信が終了となる。
車両５０ａのイグニッションスイッチがオンのままの場合には、ステップＳ１５にてＮｏと判定され、再度、ステップＳ１２における位置情報の取得、ステップＳ１３による乗員情報の取得、及びステップＳ１４における送信が繰り返される。
【０１２１】
一方で、車両５０ａのイグニッションスイッチがオフとなった場合には、ステップＳ１５にてＹｅｓと判定され、処理はステップＳ１６に進む。
【０１２２】
ステップＳ１６において、移動体情報管理装置３０の移動体情報データベース更新部３１１が、ステップＳ１２からステップＳ１４までの繰り返しにより送信された位置情報や乗員情報等に基づいて移動体情報データベース３２２を更新する（ステップＳ１５）。
以上説明した動作により、収集した位置情報や乗員情報等に基づいた移動体情報データベース更新処理が実現される。
【０１２３】
次に、携帯端末２０についての位置情報の収集及び移動体情報データベースの更新時の動作について説明する。携帯端末２０については、上述の説明における、センサ部１４をセンサ部２４に置き換え、乗員情報取得部１１２を乗員情報取得部２１２に置き換え、移動体情報送信部１１３を移動体情報送信部２１３に置き換え、ステップＳ１１にてＹｅｓとなる基準を「イグニッションスイッチ等の車両５０ｂの起動スイッチがオンとなり、車両５０ｂと携帯端末２０がペアリングした場合」に置き換え、ステップＳ１５にてＹｅｓとなる基準を「イグニッションスイッチ等の車両５０ｂの起動スイッチがオフとなり、車両５０ｂと携帯端末２０のペアリングが解除された場合」に置き換えればよい。従って重複する説明を省略する。
【０１２４】
次に、図９のフローチャートを参照して、サービス提供用処理時の動作について説明をする。
【０１２５】
ステップＳ２１において、移動体情報管理装置３０の目的地推定部３１２は、移動体情報データベース３２２内を参照する。そして、目的地推定部３１２は、各ドライブの移動体情報であって、未だ判定の対象としていない移動体情報の乗員情報を参照し、優先対象乗員が乗車している移動体が存在するか否かを判定する。優先対象乗員が乗車している移動体が存在しない場合には、ステップＳ２１においてＮｏと判定され、所定の周期でステップＳ２１の判定が繰り返される。一方で、優先対象乗員が乗車している移動体が存在する場合には、ステップＳ２１においてＹｅｓと判定され、処理はステップＳ２２に進む。
【０１２６】
ステップＳ２２において、目的地推定部３１２は、優先対象乗員が乗車している移動体について、目的地とされた施設を推定する。
ステップＳ２３において、訪問情報送信部３１３は、訪問情報を生成する。
ステップＳ２４において、訪問情報送信部３１３は、ステップＳ２３にて生成した訪問情報を、ステップＳ２２にて推定された目的地とされた施設に対して送信する。
【０１２７】
ステップＳ２５において、訪問情報を受信した施設端末４０のサービス提供用情報生成部４１１は、受信した訪問情報と提供可能サービス情報４２１とに基づいて、サービス提供用情報を生成する。そして、サービス提供用情報生成部４１１は、生成したサービス提供用情報を、表示部４４に対して表示させる。あるいは、サービス提供用情報生成部４１１は、生成したサービス提供用情報を、図示を省略したスピーカから音声出力させる。
これにより、施設端末４０の運営者は、サービス提供用情報に基づいて、優先対象乗員が乗車している移動体にサービスを提供することができる。
【０１２８】
以上説明した、本実施形態によれば、目的地となった施設側で乗員に関する情報を取得することができる。そのため、施設側で乗員に関する情報を把握することが可能となり、施設側で、優先駐車スペースを優先対象乗員の移動体に割り当てることができる。また、施設側で、優先駐車スペースに駐車中の移動体が優先対象乗員の移動体であるのか等を判断することができる。
すなわち、本実施形態によれば、各駐車スペースを適切に活用することができる。
【０１２９】
＜ハードウェア及びソフトウェアについて＞
なお、上記のナビゲーションシステムに含まれる各機器のそれぞれは、ハードウェア、ソフトウェア又はこれらの組み合わせにより実現することができる。また、上記のナビゲーションシステムに含まれる各機器のそれぞれが協働することにより行なわれるナビゲーション方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１３０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３１】
＜変形例＞
上述した実施形態は、本発明の好適な実施形態ではあるが、上記実施形態のみに本発明の範囲を限定するものではなく、本発明の要旨を逸脱しない範囲において種々の変更を施した形態での実施が可能である。
例えば、図２、図３、図４及び図６の機能的構成は例示に過ぎず、本実施形態の機能的構成を限定するものではない。すなわち、本発明の移動体情報管理機能に関する一連の処理を全体として実行できる機能が各機器に備えられていれば足り、この機能を実現するためにどのような機能ブロックを用いるのかは特に図２、図３、図４及び図６の例に限定されない。
また、他にも、上述した実施形態を、例えば以下に説明する変形例のように変形するようにしてもよい。なお、以下に説明する変形例を更に組み合わせるようにしてもよい。
【０１３２】
＜第１の変形例＞
上述の実施形態では、商業施設等の施設における駐車場でサービスを提供するために、移動体情報管理装置３０や施設端末４０等を利用していた。
これを変形して、移動体情報管理装置３０や施設端末４０等を他の用途で利用するようにしてもよい。
【０１３３】
例えば、施設への訪問ではなく道路の利用に関しての訪問情報を生成し、この訪問情報を施設ではなく道路を管轄する警察署等に対して送信するようにしてもよい。
この場合、この警察署等に施設端末４０を設置しておく。
また、移動体情報管理装置３０の目的地推定部３１２は、移動体情報データベース３２２に含まれる経路情報を参照することにより、各移動体が現在走行している道路を特定する。そして、移動体情報管理装置３０の訪問情報送信部３１３は、特定された道路が、優先対象乗員が乗車した移動体のみが走行すべき道路である場合に、訪問情報を生成する。そして、訪問情報送信部３１３は、生成した訪問情報を特定された道路を管轄する警察等に設置された施設端末４０に対して送信する。
【０１３４】
施設端末４０が設置された警察署等の署員は、この訪問情報を参照することにより、優先対象乗員が乗車した移動体のみが走行すべき道路の走行状況を把握することができる。従って、例えば、この道路の混雑状況等を把握することができる。
【０１３５】
また、署員は、優先対象乗員が乗車した移動体のみが走行すべき道路を走行している移動体の乗員情報を把握することができる。そのため、署員は、優先対象乗員が乗車していないにも関わらず、優先対象乗員が乗車した移動体のみが走行すべき道路を走行している移動体を特定することができる。これにより、署員は、この移動体に対して取締等の対策をとることができる。
このように、上述した実施形態は、他の用途にも有益に利用することができる。
【０１３６】
なお、優先対象乗員が乗員しているか否かの判定基準は、優先対象乗員が乗車した移動体のみが走行すべき道路に応じて変更するようにするとよい。例えば、優先対象乗員が乗車した移動体のみが走行すべき道路として、複数の乗員が乗車した移動体のみが走行可能な道路であるカープールレーンを対象とする場合には、複数の乗員が乗車した移動体を優先対象乗員が乗車した移動体と判定するようにするとよい。
【０１３７】
＜第２の変形例＞
上述の実施形態では、移動体ＩＤに、文字や数値の組み合わせによる識別情報に加えて、車載ナビゲーション装置１０や携帯端末２０が設置された車両５０の特徴を示す情報を含ませていた。例えば、車両５０の車両区分、車両５０の車種名、車両５０の型番、車両５０の色等の情報を含ませていた。
【０１３８】
このようにするのではなく、移動体情報管理装置３０又は施設端末４０に、移動体ＩＤと、この移動体ＩＤに対応する車両５０の特徴を示す情報とを紐付けたデータベースを構築しておくようにしてもよい。そして、移動体ＩＤを受信した移動体情報管理装置３０又は施設端末４０が、自身に構築されているデータベースを参照することにより、車両５０の特徴を示す情報を取得するようにしてもよい。
【０１３９】
＜第３の変形例＞
上述の実施形態では、車載ナビゲーション装置１０の乗員情報取得部１１２や、携帯端末２０の乗員情報取得部２１２が乗員情報を取得するようにしていた。
このようにするのではなく、移動体情報管理装置３０又は施設端末４０に、移動体ＩＤと、この移動体ＩＤに対応する車両５０の乗員の乗員情報とを紐付けたデータベースを構築しておくようにしてもよい。そして、移動体ＩＤを受信した移動体情報管理装置３０又は施設端末４０が、自身に構築されているデータベースを参照することにより、乗員情報を取得するようにしてもよい。
【０１４０】
＜他の変形例＞
他の変形例として、車載ナビゲーション装置１０や携帯端末２０を、経路案内機能を有さない他の装置により実現してもよい。すなわち、車載ナビゲーション装置１０や携帯端末２０による経路案内機能は、必須の構成ではない。この場合に、移動体情報管理装置３０が更に経路案内機能を備えており、移動体情報管理装置３０が、車載ナビゲーション装置１０や携帯端末２０と通信を行うことにより経路案内を行うようにしてもよい。
【０１４１】
更に、他の変形例として、上述の実施形態では、移動体情報管理装置３０を１つのサーバ装置等により実現すると説明したが、移動体情報管理装置３０の各機能を、適宜複数のサーバ装置に分散する、分散処理システムとしてもよい。また、クラウド上で仮想サーバ機能等を利用して、移動体情報管理装置３０の各機能を実現してもよい。
【０１４２】
更に、他の変形例として、移動体情報管理装置３０に施設端末４０としての機能を持たせてもよい。この場合に、施設端末４０としての機能も持たせた移動体情報管理装置３０を、上記したように分散処理システム等により実現してもよい。
【符号の説明】
【０１４３】
１  移動体情報管理システム
１０  車載ナビゲーション装置
１１、２１、３１、４１  制御部
１１１、２１１  経路案内部
１１２、２１１  乗員情報取得部
１１３、２１３  移動体情報送信部
１２、２２、３２、４２  記憶部
１２１、２２１  位置情報
１２２、２２２  乗員情報
１２３、２２３  移動体ＩＤ
１３、２３、３３、４３  通信部
１４、２４  センサ部
１５、２５、４４  表示部
１６、２６、４５  入力部
２０  携帯端末
２７  近距離通信部
３０  移動体情報管理装置
３１１  移動体情報データベース更新部
３１２  目的地推定部
３１３  訪問情報送信部
３２１  地図情報
３２２  移動体情報データベース
４０  施設端末
４１１  サービス提供用情報生成部
４２１  提供可能サービス情報
５０ａ、５０ｂ  車両
６０  通信網
【図１】
2019101903.tif 000003
【図２】
2019101903.tif 000004
【図３】
2019101903.tif 000005
【図４】
2019101903.tif 000006
【図５】
2019101903.tif 000007
【図６】
2019101903.tif 000008
【図７】
2019101903.tif 000009
【図８】
2019101903.tif 000010
【図９】
2019101903.tif 000011